(57)【要約】      （修正有）【課題】靴の裏に貼り付ける汚れ防止パッド構造を提供する。【解決手段】靴の裏に貼り付ける汚れ防止パッド構造の汚れ防止パッド１０は、軟らかくて薄いシート（例：紙または柔らかくて薄いプラスチック）により構成され、その上面１１に靴形のり領域２０が設けられ、一般の靴類の裏側に迅速に貼り付けることができ、汚れ防止パッドの裏側が地面に接触する。汚れ防止パッドの面積が靴類の裏側よりも大きいため、踏んだ地面が汚れることを防止し、これによって靴を脱ぐ不便さをなくし、不礼のないようにする。【選択図】図１
0003134218.tif 000002
【実用新案登録請求の範囲】
【請求項１】
汚れ防止パッドが軟らかくて薄いシートであり、かつ靴の裏よりも大きい各種の形状を形成することができ、上面に靴形のり領域が設けられ、裏側が滑らかな底面であり、該靴形のり領域は靴の裏側に貼り付き、汚れ防止パッドの裏側の滑らかな底面で床に接触することを特徴とする靴の裏に貼り付ける汚れ防止パッド構造。
【請求項２】
汚れ防止パッドが紙であることを特徴とする請求項１記載の靴の裏に貼り付ける汚れ防止パッド構造。
【請求項３】
汚れ防止パッドが、複数で前後につながり、巻いて筒形体を形成することができ、かつ各汚れ防止パッド間に切り取り線を形成することを特徴とする請求項１記載の靴の裏に貼り付ける汚れ防止パッド構造。
【請求項４】
汚れ防止パッドが、複数で前後につながり、巻いて筒形体を形成することができ、その材質が薄くて柔らかいプラスチックシートで製造されると同時に、成型時に、汚れ防止パッド自身を一体成型し、多くの横向きの切断模様を形成することができることを特徴とする請求項１記載の靴の裏に貼り付ける汚れ防止パッド構造。
【請求項５】
汚れ防止パッドが１枚のシートを形成し、上方に１枚の離型片面光沢紙を設け、該片面光沢紙の面積は靴形のり領域よりも大きいことを特徴とする請求項１記載の靴の裏に貼り付ける汚れ防止パッド構造。
【請求項６】
汚れ防止パッドは、複数の上下に相互に重ね、片側に貼り合わせのりしろを設け、冊子状の厚い重なりを形成し、一番上の１枚目の汚れ防止パッドの上に片面光沢紙を設けなければならず、該片面光沢紙の面積は靴形のり領域よりも大きいことを特徴とする請求項１記載の靴の裏に貼り付ける汚れ防止パッド構造。
【請求項７】
靴形のり領域内に顔料が塗られていることを特徴とする請求項１記載の靴の裏に貼り付ける汚れ防止パッド構造。
【請求項８】
靴形のり領域の外縁に外枠が描かれていることを特徴とする請求項１記載の靴の裏に貼り付ける汚れ防止パッド構造。
【考案の詳細な説明】
【技術分野】
【０００１】
本考案は、一般の靴類の裏側に迅速に貼り付け、使い捨てで、靴を履いた者が屋外から比較的清潔な床に入る場合に、床の汚染を防止し、靴を脱ぐ不便さをなくすために適用する、靴の裏に貼り付ける汚れ防止パッド構造をその技術分野とする。
【背景技術】
【０００２】
我々の生活において、建築現場の清潔なモデルルームの見学、特定の場所（学校）の実験室の見学、水道、電気（電器、建築など）の修理業者が顧客の家の中で修理や点検を行い、家の床が清潔である場合など、特定の場所を訪れる際に、靴を脱ぐ必要がよくある。入る床が清潔な場合、短時間しか留まらないにもかかわらず（見学、記録または修理などの作業）、屋外から室内に入るため、室内が清潔な床である場合、清潔な床を汚すことを防止するため、またその場所の主人（または企業）に対する尊重を表すため、靴を脱がなければ不礼にあたる。しかし、靴を脱ぎ、靴を履くことは、時間を非常に無駄にするものであり、かつ一般の人の靴を脱ぎ靴を履く動作は必ずしも優雅なものではなく、手を支えて靴を脱ぐための壁を探す必要がある場合もあり、しゃがんで靴紐を結んだり靴の踵を抜いたりする必要がある場合もあり、特に女性がスカートを履いている場合には不便である。こうした情況は、多くの人が見学に訪れた場合、大勢の人が一緒に靴を脱ぎ、靴を履くと、見学時間が長くなるだけでなく、たくさんの靴が入り口にあって目障りである。また、天気が熱いときには、靴を脱いだ靴下の多くは汗臭く、その場の空気の質が悪くなり、靴を脱いだ後、汁を吸った靴下で清潔な床を歩き回ると、逆に床が汚れ、細菌が発生するため、靴を脱いだ場所で短時間の見学を行ったり事務を処理したりする必要があるときに、多くの人が次のような感想を有している。
１.靴を履き靴を脱ぐことは非常に不便であり、かつ時間が無駄になる。
２.靴を履き靴を脱ぐ動作は優雅で端正なものではなく、困惑させられる場合もある。
３.臭いが室内の空気中に満ち溢れやすく、呼吸に不快感がもたらされやすい。
４.汗を吸った靴下で清潔な床で歩き回ると、逆に床が汚れ、細菌が発生する。
【０００３】
そのため、清潔な床を汚さない善意および礼儀のために、逆に多くの欠点がもたらされていることは、実にいかんともしがたい。但し、上記の欠点をなくす方法があり、環境を汚染せず、自然と主人の失礼にならないことができれば、皆に受け入れやすいはずであり、人々に期待されたものであるはずである。
【０００４】
本考案者は、上記の必要性を感じ、靴の裏に迅速に貼り付け、上記の問題を解決することができる靴の裏に貼り付ける汚れ防止パッドを考案した。
【考案の開示】
【考案が解決しようとする課題】
【０００５】
本考案の主な目的は、靴の裏に貼り付ける汚れ防止パッド構造を設計することにあり、この汚れ防止パッドは、紙により構成され、その上面に靴形のり領域があり、一般の靴類の裏側に迅速に貼り付けることができる。汚れ防止パッドの面積は、靴類の裏側よりも大きいため、踏んだ床が汚れることを防止することができ、靴を脱ぐ不便さをなくすことを達成でき、靴を脱ぐ臭い、姿勢が優雅でないなどの欠点もなく、使用上、便利で実用的であり、かつ不礼にあたらない。
【０００６】
本考案のもう一つの目的は、この靴の裏に貼り付ける汚れ防止パッドを筒形体、１枚のシートまたは剥がして使う冊子状の厚い重なりでセットにすることによって、使用上、製造上、および収納保管上、場所をとらず、かつすばやく取って使えるようにすることである。
【考案の効果】
【０００７】
本考案を使用した場合、次のような効果を得ることができる。
１．本考案は、汚れ防止パッドを靴類の裏側に貼り、面積は靴の面よりも大きいため、踏んだ床が汚れることを防止することができることが、本考案の長所である。
２．本考案は、靴を脱ぐことを省略することができるため、一般的に靴を脱いだ後の汗臭さの欠点をなくすことができ、靴を履く、靴を脱ぐといった優雅でない姿勢も避けることができ、そのため、本考案を使用することによって、不礼にあたらないようにすることができる。
【考案を実施するための最良の形態】
【０００８】
本考案の内容をより理解することができるようにするため、図面の簡単な説明と合わせ、次の通り詳細に説明する。
【０００９】
図１の通り、本考案で設ける汚れ防止パッド（１０）は、軟らかくて薄いシートであり、特に紙が好ましく、この汚れ防止パッド（１０）は、各種の形状を形成することができるが、長方形が材料を比較的節約することができる。汚れ防止パッド（１０）は、上面（１１）に靴形のり領域（２０）が設けられ、裏側は滑らかな底面（１２）となっている。そのうち、この靴形のり領域（２０）は、顔料を塗って、視覚的により顕著なものにすることができる。顔料を塗る方式は、全領域または一部の領域とすることができ、若しくは靴形のり領域（２０）の上に描くことも、その外縁に沿って外枠を描くこともでき、いずれによっても顕著な効果を達成することができ、いずれも本考案の範疇に属す。
【００１０】
この汚れ防止パッド（１０）は、複数で前後につながり、巻いて筒形体（１）を形成することができ、各汚れ防止パッド（１０）間に切り取り線（１３）を形成するため、一つ一つ切り取って（２枚）使用する。図４の通り、この複数の汚れ防止パッド（１０）を筒形体（１）に巻いた後、その材質は薄く軟らかいプラスチックシートで製造することができると同時に、成型時に、汚れ防止パッド（１０）自身を一体成型し、多くの横向きの切断模様（１４）を形成することができるため、筒形体（１）から１枚の汚れ防止パッド（１０）を切り取るとき、適切な位置の切断模様（１４）の箇所を引き裂くだけで切断することができ、取って使うのに非常に便利である。
【００１１】
図１、図４の通り、この複数の汚れ防止パッド（１０）を筒形体（１）に巻いた後、軸棒（３０）を筒形体（１）の中央軸穴に通し、汚れ防止パッド（１０）をロール式のトイレットペーパーのように適切な長さを引っ張ってから、切断することができる。
【００１２】
図２の通り、汚れ防止パッド（１０）は、１枚のシート（２）を形成することができるが、その上方に１枚の離型片面光沢紙（２ａ）を追加しなければならず、この片面光沢紙（２ａ）を剥がすと、靴形のり領域（２０）が露出する。
【００１３】
図３の通り、各汚れ防止パッド（１０）は、上下に相互に重ね、片側に貼り合わせのりしろ（３ｂ）を設け、冊子状の厚い重なり（３）を形成することができるが、一番上の１枚目の汚れ防止パッド（１０）の上に片面光沢紙（３ａ）を設け、１枚目の汚れ防止パッド（１０）の上面（１１）の靴形のり領域（２０）を仕切らなければならず、２枚目の汚れ防止パッド（１０）からは１枚前の裏側で仕切るようにする。
【００１４】
本考案を使用するとき、図１、２、３、４のいずれの方法でも、汚れ防止パッド（１０）を１枚取り、その靴形のり領域（２０）に使用者が靴（４０）の裏側（４１）を置くようにする。この靴形のり領域（２０）には色が塗られているため、視覚的に非常に鮮明であり、靴形のり領域（２０）を靴（４０）の裏側（４１）に貼り、汚れ防止パッド（１０）の裏側の滑らかな底面（１２）で床を歩くと、清潔な床が汚れることを防止することができる。
【００１５】
本考案者は、積極的な態度により、上記の製品を開発し、新規かつ非常に実用的であり、産業上の利用価値も有しており、上記のような使いやすさ衛生などの長所も有し、実用新案登録出願の要件を満たしている。
【図面の簡単な説明】
【００１６】
【図１】本考案の第一実施例の構造図である。
【図２】本考案の第二実施例の構造図である。
【図３】本考案の第三実施例の構造図である。
【図４】本考案の第一実施例を切り取る構造概略図である。
【図５】本考案の使用状態図である。
【符号の説明】
【００１７】
１      筒形体
２      １枚のシート
２ａ    片面光沢紙
３      厚い重なり
３ａ    片面光沢紙
３ｂ    貼り合わせのりしろ
１０    汚れ防止パッド
１１    上面
１２    滑らかな底面
１３    切り取り線
１４    切断模様
２０    靴形のり領域
３０    軸棒
４０    靴
４１    裏側
【図１】
0003134218.tif 000003
【図２】
0003134218.tif 000004
【図３】
0003134218.tif 000005
【図４】
0003134218.tif 000006
【図５】
0003134218.tif 000007